(57)【要約】【課題】本発明は、色の異なる穀物鑑定皿を準備する必要がなく、また、検査項目によっても穀物を他の穀物鑑定皿に移し替える必要がない穀物外観検査キット及び穀物外観検査方法を提供することを目的とする。【解決手段】本発明の穀物外観検査キットは、透明な底面を有する穀物鑑定皿と、不透明な平板状のバックグラウンドと、をセットとして備え、穀物の投入された前記穀物鑑定皿の底面外側に前記バックグラウンドを配置することで前記穀物の外観を検査する。【選択図】図２
2014109567.tif 000002
【特許請求の範囲】
【請求項１】
透明な底面を有する穀物鑑定皿と、
不透明な平坦面を有するバックグラウンドと、をセットとして備え、
穀物の投入された前記穀物鑑定皿の底面外側に前記バックグラウンドの平坦面を配置することで前記穀物の外観を検査する穀物外観検査キット。
【請求項２】
色の異なる前記バックグラウンドを複数備え、該バックグラウンドの各色は、それぞれ穀物の種類、又は前記穀物の種類及び検査項目に応じて選択される色であって、
前記穀物の投入された穀物鑑定皿の底面外側に、前記穀物の種類、又は前記穀物の種類及び検査項目に応じて選択される色の前記バックグラウンドを配置することで前記穀物の外観を検査する請求項１記載の穀物外観検査キット。
【請求項３】
前記バックグラウンドは色の異なる複数の領域を有し、該バックグラウンドの各色は、それぞれ穀物の種類、又は前記穀物の種類及び検査項目に応じて選択される色であって、
前記穀物の投入された穀物鑑定皿の底面外側に、前記穀物の種類、又は前記穀物の種類及び検査項目に応じて選択される前記バックグラウンドの色の領域を配置することで前記穀物の外観を検査する請求項１記載の穀物外観検査キット。
【請求項４】
前記バックグラウンドは平板状であって、表裏が同色又は異色からなる請求項２又は３記載の穀物外観検査キット。
【請求項５】
前記穀物鑑定皿を載置する載置部が上部に形成されるハウジング、及び該ハウジングの内部に配設され前記載置部に載置される穀物鑑定皿の下方から光を照射する光源、を有するモニタをさらにセットとして備え、
前記穀物の投入された穀物鑑定皿を前記載置部に載置し、前記穀物鑑定皿の底面を通して前記穀物に光を照射することで前記穀物の外観を検査する請求項１乃至４のいずれか一項記載の穀物外観検査キット。
【請求項６】
透明な底面を有する穀物鑑定皿に穀物を投入し、該穀物の投入された穀物鑑定皿の底面外側にバックグラウンドの不透明な平坦面を配置することで前記穀物の外観を検査する穀物外観検査方法。
【請求項７】
穀物の投入された前記穀物鑑定皿の底面外側に、前記穀物の種類又は、前記穀物の種類及び検査項目に応じて選択される色のバックグラウンドを配置することで前記穀物の外観を検査する請求項６記載の穀物外観検査方法。
【請求項８】
前記バックグラウンドは色の異なる複数の領域を有し、穀物の投入された前記穀物鑑定皿の底面外側に、前記穀物の種類、又は前記穀物の種類及び検査項目に応じて選択されるバックグラウンドの色の領域を配置することで前記穀物の外観を検査する請求項６記載の穀物外観検査方法。
【発明の詳細な説明】
【技術分野】
【０００１】
本発明は、米、小麦、大豆及びそば等の穀物の外観品質の検査に使用される穀物外観検査キット及び穀物外観検査方法に関する。
【背景技術】
【０００２】
従来、米、小麦、大豆及びそば等の穀物をカルトンと呼ばれる穀物検査用の皿（以下、「穀物鑑定皿」という。）の上に広げ、該穀物の外観品質を目視により検査することが行われている（特許文献１参照。）。当該検査では、例えば米の場合、形質等については黒色の穀物鑑定皿が使用され、着色等については白色の穀物鑑定皿が使用される。また、米以外の穀物の検査では、青色の穀物鑑定皿やベージュ色の穀物鑑定皿等も使用される。
【０００３】
ところで、上記従来の検査では、検査試料である穀物の種類や検査項目に応じて色の異なる穀物鑑定皿を準備する必要がある。また、検査項目によっては穀物を色の異なる他の穀物鑑定皿に移し替える必要があるため、異なる検査項目について同じ穀物を同じ状態で検査できない問題がある。
【先行技術文献】
【特許文献】
【０００４】
【特許文献１】特許第４７１６３８９号公報
【発明の概要】
【発明が解決しようとする課題】
【０００５】
そこで、本発明は、色の異なる穀物鑑定皿を準備する必要がなく、また、検査項目によって穀物を他の穀物鑑定皿に移し替える必要がない穀物外観検査キット及び穀物外観検査方法を提供することを目的とする。
【課題を解決するための手段】
【０００６】
上記目的を達成するため、本発明の穀物外観検査キットは、
透明な底面を有する穀物鑑定皿と、
不透明な平坦面を有するバックグラウンドと、をセットとして備え、
穀物の投入された前記穀物鑑定皿の底面外側に前記バックグラウンドの平坦面を配置することで前記穀物の外観を検査する。
【０００７】
本発明の穀物外観検査キットは、
色の異なる前記バックグラウンドを複数備え、該バックグラウンドの各色は、それぞれ穀物の種類、又は前記穀物の種類及び検査項目に応じて選択される色であって、
前記穀物の投入された穀物鑑定皿の底面外側に、前記穀物の種類、又は前記穀物の種類及び検査項目に応じて選択される色の前記バックグラウンドを配置することで前記穀物の外観を検査することが好ましい。
【０００８】
本発明の穀物外観検査キットは、
前記バックグラウンドが色の異なる複数の領域を有し、該バックグラウンドの各色は、それぞれ穀物の種類、又は前記穀物の種類及び検査項目に応じて選択される色であって、
前記穀物の投入された穀物鑑定皿の底面外側に、前記穀物の種類、又は前記穀物の種類及び検査項目に応じて選択される前記バックグラウンドの色の領域を配置することで前記穀物の外観を検査することが好ましい。
【０００９】
本発明の穀物外観検査キットは、
前記バックグラウンドが平板状であって、表裏が同色又は異色からなることが好ましい。
【００１０】
本発明の穀物外観検査キットは、
前記穀物鑑定皿を載置する載置部が上部に形成されるハウジング、及び該ハウジングの内部に配設され前記載置部に載置される穀物鑑定皿の下方から光を照射する光源、を有するモニタをさらにセットとして備え、
前記穀物の投入された穀物鑑定皿を前記載置部に載置し、前記穀物鑑定皿の底面を通して前記穀物に光を照射することで前記穀物の外観を検査することが好ましい。
【００１１】
また、上記目的を達成するため、本発明の穀物外観検査方法は、
透明な底面を有する穀物鑑定皿に穀物を投入し、該穀物の投入された穀物鑑定皿の底面外側にバックグラウンドの不透明な平坦面を配置することで前記穀物の外観を検査する。
【００１２】
本発明の穀物外観検査方法は、
穀物の投入された前記穀物鑑定皿の底面外側に、前記穀物の種類又は、前記穀物の種類及び検査項目に応じて選択される色の前記バックグラウンドを配置することで前記穀物の外観を検査することが好ましい。
【００１３】
本発明の穀物外観検査方法は、
前記バックグラウンドが色の異なる複数の領域を有し、穀物の投入された前記穀物鑑定皿の底面外側に、前記穀物の種類、又は前記穀物の種類及び検査項目に応じて選択される前記バックグラウンドの色の領域を配置することで前記穀物の外観を検査することが好ましい。
【発明の効果】
【００１４】
本発明の穀物外観検査キットによれば、透明な底面を有する穀物鑑定皿と、不透明な平坦面を有するバックグラウンドと、をセットとして備えるので、色の異なる前記バックグラウンドを複数準備することにより、又は前記バックグラウンドが色の異なる複数の領域を有するものとすることにより、色の異なる穀物鑑定皿を準備する必要がない。
【００１５】
また、本発明の穀物外観検査キットによれば、検査項目によって穀物を色の異なる他の穀物鑑定皿に移し替える必要がないため、異なる検査項目について同じ穀物を同じ状態で検査することができる。
【００１６】
本発明の穀物外観検査方法によれば、透明な底面を有する穀物鑑定皿に穀物を投入し、該穀物の投入された穀物鑑定皿の底面外側にバックグラウンドの不透明な平坦面を配置することで前記穀物の外観を検査するので、前記穀物鑑定皿の底面外側に、穀物の種類又は、前記穀物の種類及び検査項目に応じて選択される色のバックグラウンドを配置することができるため、あるいは穀物の種類、又は前記穀物の種類及び検査項目に応じて選択されるバックグラウンドの色の領域を配置することができるため、色の異なる穀物鑑定皿を準備する必要がない。
【００１７】
また、本発明の穀物外観検査方法によれば、検査項目によって穀物を色の異なる他の穀物鑑定皿に移し替える必要がないため、異なる検査項目について同じ穀物を同じ状態で検査することができる。
【図面の簡単な説明】
【００１８】
【図１】本発明の実施の形態における穀物外観検査キットの説明図。
【図２】本発明の実施の形態における穀物外観検査キットを使用して穀物の外観品質の検査を行う様子の説明図。
【図３】本発明の他の実施の形態における穀物外観検査キットの説明図。
【図４】モニタの内部構造の概略説明図。
【図５】本発明の他の実施の形態における穀物外観検査キットを使用して穀物の外観品質の検査を行う様子の説明図。
【図６】本発明のさらに他の実施の形態における穀物外観検査キットの説明図
【図７】本発明のさらに他の実施の形態における穀物外観検査キットにおいて、モバイルケース４に穀物鑑定皿１、バックグラウンド２及びモニタ３を収納した様子の説明図。
【発明を実施するための形態】
【００１９】
本発明の実施の形態を図面に基づいて説明する。
図１は、本発明の実施の形態における穀物外観検査キットの説明図を示す。
本実施の形態における穀物外観検査キットは、透明樹脂等の透明な材料から形成される穀物鑑定皿１と、樹脂、木材、紙等であって不透明な材料から形成される平板状のバックグラウンド２をセットとして備える。
【００２０】
前記バックグラウンド２は、検査試料となる穀物の種類、又は前記穀物の種類及び検査項目に応じて必要とされる色からなり、本実施の形態では、黒色バックグラウンド２１、白色バックグラウンド２２及び青色バックグラウンド２３の三種類を備えるものとする。
本実施の形態における穀物外観検査キットは、例えばカバンに収納して運搬及び保管することができる。
【００２１】
図２は、本発明の実施の形態における穀物外観検査キットを使用して穀物の外観品質の検査を行う様子の説明図を示す。
まず、検査対象となる穀物を前記穀物鑑定皿１に投入し、該穀物が重なることがないように前記穀物鑑定皿１上に広げる。
次に、前記穀物の種類、又は前記穀物の種類及び検査項目に応じてバックグラウンド２の色を選択し、該選択した色のバックグラウンド２の平坦面上に前記穀物鑑定皿１を載置する。例えば、前記検査対象の穀物が米の場合であって検査項目が形質に関する場合には黒色のバックグラウンド２１を選択し、検査項目が着色に関する場合には白色のバックグラウンド２２を選択する。また、前記検査対象の穀物が小麦やそば等の場合には、青色のバックグラウンド２３を選択する。
【００２２】
本発明の実施の形態における穀物外観検査キットを使用すれば、前記穀物鑑定皿１が透明な材料から形成されるため、前記バックグラウンド２の色を背景として前記穀物鑑定皿１に投入された穀物の外観品質を、従来と同様に、目視により検査することができる。そのため、本発明の実施の形態における穀物外観検査キットでは、色の異なる穀物鑑定皿を準備する必要がない。
【００２３】
また、本発明の実施の形態における穀物外観検査キットを使用すれば、検査項目によって穀物を他の穀物鑑定皿に移し替える必要がないため、異なる検査項目について同じ穀物を同じ状態で検査することができる。
【００２４】
なお、本実施の形態において、穀物鑑定皿１は透明樹脂等の透明な材料から形成されることとしたが、少なくとも底面が透明な材料から形成されていればよい。
また、本実施の形態では、穀物が投入された穀物鑑定皿１をバックグラウンド２の平坦面上に載置して前記穀物の外観品質を検査する例を示したが、前記穀物鑑定皿１を手に持った状態で該穀物鑑定皿１の底面外側に前記バックグラウンド２を当接させて穀物の外観品質を検査することもできる。さらに、前記検査時に前記バックグラウンド２が前記穀物鑑定皿１の底面全体の背景となるのであれば、前記バックグラウンド２は、必ずしも前記穀物鑑定皿１の底面外側に当接している必要はなく、前記穀物鑑定皿１の底面と離れていてもよい。
【００２５】
本実施の形態では、バックグラウンド２として四角形状のもの用いたが、該バックグラウンド２は円形状やその他の任意形状とすることができる。また、前記バックグラウンド２が平板状の場合、表裏が同色でも良いし異色でも良い。表裏が異色であれば、バックグラウンドの数を少なくすることができる。
本実施の形態では、バックグラウンド２として平板状のものを用いたが、穀物鑑定皿１を載置又は該穀物鑑定皿１の底面外側に当接できる平坦面を有するものであればよく、例えば直方体状でも構わない。
【００２６】
本実施の形態では、三種類の色の異なる平板状のバックグラウンド２を備えることとしたが、必要に応じて複数の色の異なるバックグラウンドを備えるものとすることができる。また、前記複数の色の異なるバックグラウンド２は、１枚の台紙上、又は１個の台座上（台座の各面上を含む）に固定して使用することもできる。さらに、複数の色の異なる平板状のバックグラウンド２を備えることに代えて、複数の色の異なる領域を有する平板状又は直方体状のバックグラウンドを備えるものとすることもできる。
【００２７】
図３は、本発明の他の実施の形態における穀物外観検査キットの説明図を示す。
本実施の形態における穀物外観検査キットは、図１に示す検査キットと同様に、透明樹脂等の透明な材料から形成される穀物鑑定皿１と、樹脂、木材、紙等であって不透明な材料から形成される平板状のバックグラウンド２を備えるのに加え、さらに、前記穀物鑑定皿１を載置する載置部３２が上部に形成されるハウジング３１、及び該ハウジング３１の内部に配設され前記載置部３２に載置される穀物鑑定皿１の下方から光を照射する光源３３、を有するモニタ３をセットとして備える。
【００２８】
図４は、モニタ３の一例の断面図であって、内部構造の概略説明図を示す。
ハウジング３１は、不透明な材料から形成されており、上部の開口に透明板を装着した状態で載置部３２が形成されている。また、ハウジング３１の内部には複数のＬＥＤ光源３３が横一列に並べた状態で配設されるとともに、該ＬＥＤ光源３３の光をハウジング３１上部の載置部３２に向けて反射させる反射板３４とが配設されている。ここで、前記ＬＥＤ光源３３は、光軸が水平方向下向きに０〜１０度の範囲となるよう配設し、前記反射板３４は、前記ＬＥＤ光源３３からの光を受ける形で、水平方向上向きに１０度〜３５度の範囲の角度となるよう配設することが好ましい。図４の例では、前記ＬＥＤ光源３３の光軸は水平方向から下向きに１０度、前記反射板３４の角度は、前記ＬＥＤ光源３３からの光を受ける形で、水平方向から上向きに１０度に設定されている。そして、図４に示すように、前記ハウジング３１の載置部３２には穀物鑑定皿１が載置され、前記穀物鑑定皿１の下方からＬＥＤ光源３３の光が照射されて直接、又は前記反射板３４に反射し、前記穀物鑑定皿１の底面を通して該穀物鑑定皿１に投入された穀物に照射される。なお、前記複数のＬＥＤ光源３３にかえて、蛍光灯等の他の光源を利用できることは言うまでもない。
【００２９】
図５は、本発明の他の実施の形態における穀物外観検査キットを使用して穀物の外観品質の検査を行う様子の説明図を示す。
本実施の形態における穀物外観検査キットを使用すれば、図１に示す検査キットと同様に、前記バックグラウンド２を背景とした検査を行うことができるのに加え、さらに、前記モニタ３を利用した検査を行うことができる。
前記モニタ３を利用すれば、前記穀物鑑定皿１の底面を通して前記ＬＥＤ光源３３の光を照射された穀物は、前記反射板３４の色（例えば黒色）を背景として光が透過して見えるため、胴割れ等を容易に検査することができる。
【００３０】
本実施の形態の検査キットを使用する場合でも、図１に示す検査キットと同様に、前記穀物鑑定皿１が透明な材料から形成されるため、色の異なる穀物鑑定皿を準備する必要がない。
また、本実施の形態の検査キットを使用する場合でも、図１に示す検査キットと同様に、検査項目によって穀物を他の穀物鑑定皿に移し替える必要がなく、異なる検査項目について同じ穀物を同じ状態で検査することができる。
【００３１】
図６は、本発明のさらに他の実施の形態における穀物外観検査キットの説明図を示す。
本実施の形態では、新たにモバイルケース４を検査キットの一部として備える。
本実施の形態における穀物外観検査キットは、図３に示す検査キットと同様に、穀物鑑定皿１、バックグラウンド２、モニタ３を備え、これらを前記モバイルケース４に収納して運搬及び保管することができる。
【００３２】
図７は、本発明のさらに他の実施の形態における穀物外観検査キットにおいて、モバイルケース４に穀物鑑定皿１、バックグラウンド２及びモニタ３を収納した様子の説明図を示す。
図７に示すように、本実施の形態における穀物外観検査キットは、前記モバイルケース４に前記モニタ３を収納した状態で穀物の胴割れ等を検査できる。
【００３３】
本実施の形態の検査キットを使用する場合でも、図１に示す検査キットと同様に、前記穀物鑑定皿１が透明な材料から形成されるため、色の異なる穀物鑑定皿を準備する必要がない。
また、本実施の形態の検査キットを使用する場合でも、図１に示す検査キットと同様に、検査項目によって穀物を他の穀物鑑定皿に移し替える必要がなく、異なる検査項目について同じ穀物を同じ状態で検査することができる。
【００３４】
本発明は、上記実施の形態に限るものでなく、発明の範囲を逸脱しない限りにおいてその構成を適宜変更できることはいうまでもない。
【産業上の利用可能性】
【００３５】
本発明の穀物外観検査キット及び穀物外観検査方法は、色の異なる穀物鑑定皿を準備する必要がなく、また、検査項目によっても穀物を他の穀物鑑定皿に移し替える必要がないため、簡易で実用性に優れる。
【符号の説明】
【００３６】
１      穀物鑑定皿
２      バックグラウンド
２１      黒色バックグラウンド
２２      白色バックグラウンド
２３      青色バックグラウンド
３      モニタ
３１      バウジング
３２      載置部
３３      ＬＥＤ光源
３４      反射板
４      モバイルケース
５      電池
【図１】
2014109567.tif 000003
【図２】
2014109567.tif 000004
【図３】
2014109567.tif 000005
【図４】
2014109567.tif 000006
【図５】
2014109567.tif 000007
【図６】
2014109567.tif 000008
【図７】
2014109567.tif 000009